(57)【要約】      （修正有）【課題】簡単な構造で換気ができて見栄えもよく、防虫対策やメンテナンスが容易な壁面構成体を提供する。【解決手段】隣接する左右の竪枠１、１の間を通気経路Ｓと、一方の竪枠１の見込面中間部から通気経路Ｓに延出し他方の竪枠１の見込面に当接する仕切壁２と、仕切壁２の屋外側に着脱自在に配置するカバー材５と、仕切壁２の屋内側に配置する外蓋材３、内蓋材４及び操作部８とを備え、仕切壁２は上下に間隔をあけ複数の通気口７ａを有し、カバー材５は網材１２ａで覆う通気口１２を有し、外蓋材３は仕切壁２の屋内側面に沿って上下動自在に重合して、仕切壁２の通気口７ａと連通する位置に通気口７ｂを有し、上下方向に移動して通気経路Ｓを閉塞し、内蓋材４は外蓋材３の屋内側に位置し、竪枠１、１の間に通気経路Ｓを開放し、竪枠１、１の見込面に当接し通気経路Ｓを閉塞する位置まで屋内外方向に移動自在で操作部８の操作で通気経路Ｓを閉塞する。【選択図】図１
2010007389.tif 000002
【特許請求の範囲】
【請求項１】
隣接する左右の竪枠の間に形成する通気経路と、一方の竪枠の見込面中間部から通気経路に延出して他方の竪枠の見込面に当接する仕切壁と、仕切壁の屋外側に着脱自在に配置してあるカバー材と、仕切壁の屋内側に配置する外蓋材、内蓋材及び操作部とを備え、仕切壁は、上下に間隔をあけて複数の通気口を有しており、カバー材は、網材で覆われた通気口を有し、外蓋材は、仕切壁の屋内側面に沿って上下動自在に重合すると共に、仕切壁の通気口と連通する位置に通気口を有し、上下方向に移動して通気経路を閉塞するものであり、内蓋材は、外蓋材の屋内側に位置しており、竪枠との間に隙間をあけて通気経路を開放すると共に、竪枠の見込面に当接して通気経路を閉塞する位置まで屋内外方向に移動自在であり、操作部の操作により外蓋材が上下方向に移動して通気経路を閉塞すると共に、内蓋材が屋内外方向に移動して通気経路を閉塞することを特徴とする壁面構成体。
【請求項２】
カバー材は、左右の側壁を有して屋外側を開放する略コ字型をなすと共に側壁間に網材を配置するものであり、側壁は、竪枠の屋外側見付面より屋外側に突出することを特徴とする請求項１記載の壁面構成体。
【請求項３】
操作部は、上下に操作するものであり、屋外側に内蓋材を挿通して外蓋材に取付けてあり、内蓋材は、左右側部に突出部を有し、左右の竪枠の壁面には、突出部を係止し且つ操作部の操作で内蓋材を屋内外方向に誘導するガイドブロックが設けてあり、操作部を操作して外蓋材を上下方向に移動すると共に、内蓋材がガイドブロックの案内で屋内外方向に移動することを特徴とする請求項１又は２記載の壁面構成体。
【発明の詳細な説明】
【技術分野】
【０００１】
本発明は、竪枠間に通気経路を形成するタイプの壁面構成体に関するものである。
【背景技術】
【０００２】
この種の壁面構成体として特許文献１に開示されるもののように、屋内側にある操作部を上下に操作したときに、壁面構成体の通気経路内の可動体が面外方向に移動すると共に通気経路が開放して通気可能状態となるものがあった。
【特許文献１】特開平７−１８９５４号公報
【発明の開示】
【発明が解決しようとする課題】
【０００３】
しかしながら、上記の特許文献１に開示されるものでは、通気経路に防虫対策が施されていない。また、屋内側には、上下に複数の通気口が露出した状態で設けてあることから、通気口の切欠部分が目立ってしまうため、意匠性を損なう問題点があった。
本発明は、上記課題を鑑みてなされたものであり、簡単な構造で換気ができて見栄えもよく、防虫対策やそのメンテナンスが容易な壁面構成体を提供することにある。
【課題を解決するための手段】
【０００４】
請求項１記載の発明は、隣接する左右の竪枠の間に形成する通気経路と、一方の竪枠の見込面中間部から通気経路に延出して他方の竪枠の見込面に当接する仕切壁と、仕切壁の屋外側に着脱自在に配置してあるカバー材と、仕切壁の屋内側に配置する外蓋材、内蓋材及び操作部とを備え、仕切壁は、上下に間隔をあけて複数の通気口を有しており、カバー材は、網材で覆われた通気口を有し、外蓋材は、仕切壁の屋内側面に沿って上下動自在に重合すると共に、仕切壁の通気口と連通する位置に通気口を有し、上下方向に移動して通気経路を閉塞するものであり、内蓋材は、外蓋材の屋内側に位置しており、竪枠との間に隙間をあけて通気経路を開放すると共に、竪枠の見込面に当接して通気経路を閉塞する位置まで屋内外方向に移動自在であり、操作部の操作により外蓋材が上下方向に移動して通気経路を閉塞すると共に、内蓋材が屋内外方向に移動して通気経路を閉塞することを特徴とする。
【０００５】
本発明の請求項２記載の発明では、カバー材は、左右の側壁を有して屋外側を開放する略コ字型をなすと共に側壁間に網材を配置するものであり、側壁は、竪枠の屋外側見付面より屋外側に突出することを特徴とする。
【０００６】
本発明の請求項３記載の発明では、操作部は、上下に操作するものであり、屋外側に内蓋材を挿通して外蓋材に取付けてあり、内蓋材は、左右側部に突出部を有し、左右の竪枠の壁面には、突出部を係止し且つ操作部の操作で内蓋材を屋内外方向に誘導するガイドブロックが設けてあり、操作部を操作して外蓋材を上下方向に移動すると共に、内蓋材がガイドブロックの案内で屋内外方向に移動することを特徴とする。
【発明の効果】
【０００７】
本発明のうち請求項１記載の発明によれば、通気口に網材を取り付けたカバー材を仕切壁の屋外側に着脱自在に配置して取り付けてあるので、防虫性が良好であり、しかも、網材のメンテナンスも極めて容易である。そして、内蓋材の側面と竪枠壁面との隙間を外気が流れることから、通気口が目立たない構造となるので、屋外側や屋内側からの見栄えがよくて意匠性の高い壁面構成体を提供できる。
【０００８】
本発明のうち請求項２記載の発明によれば、カバー材の両側壁が竪枠の屋外側枠見付面から屋外に向けて突出していることから、両側壁が屋外からの視界、即ち、斜めからの視界を遮って網材と通気口を見難くするため、本壁面構成体の見栄えを一層高めることができる。
【０００９】
本発明のうち請求項３記載の発明によれば、操作部の取付部が内蓋材を挿通して外蓋材に取付けてあることから、操作部を操作すれば外蓋材と内蓋材を同時に動かすことができるため、極めて簡単な構造で通気経路の開閉機構を形成することができる。
【発明を実施するための最良の形態】
【００１０】
以下に、図面に基づいて本実施による壁面構成体の実施の形態を説明する。
図１は、本実施による壁面構成体の斜視図であり、図２（ａ）（ｂ）は、本実施による壁面構成体の作動状態を示す平面図であり、図３（ａ）（ｂ）は、同じく、本実施による壁面構成体の作動状態を示す縦断面図であり、図４は、ガイドブロックを拡大して示す斜視図である。
【００１１】
本実施による壁面構成体は、図１を参照すれば、左右に間隔をあけて配置した竪枠１，１の中間部に形成する通気経路Ｓと、竪枠１，１間に配置する仕切壁２と、仕切壁２の屋外側に着脱自在に取り付けるカバー材５と、仕切壁２の屋内側に重合する外蓋材３と、外蓋材３の屋内側に配置する内蓋材４と、内蓋材４の屋内側に取り付ける操作部８と、内蓋材４の左右に配置するガイドブロック６とからなっている。仕切壁２は、左右の竪枠１，１のうちの一方の竪枠１の見込面から突出し、他方の竪枠１の見込面に当接して通気経路Ｓを隔てるものであり、上下方向に間隔をあけた複数の箇所に通気口７ａを有している。外蓋材３は、通気経路Ｓに沿って上下に長い板状をなしており、仕切壁２の屋内側面に沿って上下動自在に取り付けてあり、仕切壁２の各通気口７ａと同じ大きさ及び間隔で夫々が配置される通気口７ｂが設けてある。内蓋材４は、上下に長い板状をなしており、その上下方向の中間部に左右側部から左右の竪枠１，１の見込面に向けて夫々突出する突出部９を有しており、その下部には上記外蓋材３の通気口７ｂと一致する挿通孔１０を有している。操作部８は、通気経路Ｓの屋外側に設けたガイドモール（図示省略）から屋外側に向けて突出するツマミ８ｂを有しており、屋外側には外向きに突出した取付部８ａを有しており、取付部８ａは、内蓋材４の挿通孔１０に挿通して外蓋材３と内蓋材４を同時に上下動自在に移動するものである。
【００１２】
ガイドブロック６は、図４に示すように、通気経路Ｓと面する左右の竪枠１，１の見込面の中間部に取り付けてあり、略矩形ブロック状の通気経路Ｓと面する側面に下方から上方に向かうに従って屋内側から屋外側に向けて段状にシフトするガイド溝６ａが設けてある。そのガイド溝６ａには、内蓋材４の突出部９が係止しており、これにより、内蓋材４をガイド溝６ａに沿って竪枠１，１の通気経路Ｓ内を屋内外方向に移動自在となる。
【００１３】
以上のように形成した本実施による壁面構成体の作動状態及び使用手順について、図２（ａ）（ｂ）及び図３（ａ）（ｂ）を参照して説明する。
内蓋材４は、図２（ａ）及び図３（ａ）のように、通気経路Ｓ内の仕切壁２と外蓋材３の屋内側の位置にあって、通気経路Ｓを形成する壁面との間に隙間をあけて通気経路Ｓを開放する位置にあり、その左右の突出部９，９をガイドブロック６のガイド溝６ａに係止し、そのガイド溝６ａが突出部９，９を案内することにより、内蓋材４が屋内外方向及び上下方向に移動自在に取り付けてある。そして、竪枠１，１の屋内側からツマミ８ｂを摘んで操作部８を持ち上げたときに、図２（ｂ）及び図３（ｂ）のように、操作部８の屋外側に設けてある取付部８ａが内蓋材４の挿通孔１０に取り付けてあることで、操作部８と一緒に内蓋材４が持ち上がる。さらに、内蓋材４は、ガイド溝６ａに沿って誘導されることで、次第に屋内側に向けて移動すると共に、取付部８ａが内蓋材４の挿通孔１０に挿通し且つ外蓋材３の通気口７ａに取り付けてあることで、内蓋材４が通気経路Ｓ内の屋内側に向けて移動しながら通気経路Ｓを形成する壁面に当接し、これにより、通気経路Ｓが閉塞される。
【００１４】
本発明の壁面構成体は、図１のように、カバー材５が通気経路Ｓを閉塞するように竪枠１，１間に取り付けてあり、カバー材５は、左右に間隔を開けた２枚の側壁５ａ，５ａと、各側壁５ａ，５ａの底部側に配置する取付金具１２ｂとから平面視略コ字状をなしており、左右の側壁５ａ，５ａと取付金具１２ｂとの間には、通気口１２が形成されており、両側壁５ａ，５ａの枠見込方向の中間部には夫々に網材取付部１２ｃが設けてあり、各網材取付部１２ｃ，１２ｃ間に、通気口１２を覆う状態で網材１２ａが取り付けてある。また、カバー材５の左右の側壁５ａ，５ａは、竪枠１，１の屋外側見付面よりも屋外側に突出した突条を形成しており、これにより、本発明による壁面構成体を屋外から見たときには、左右の竪枠１，１間にカバー材５が取り付けてあることで、通気経路Ｓを通して斜めから網材や通気口を覗き難くなって意匠性が高まると共に、通気状態にあるときでも網材１２ａが遮ることで、屋内に虫や枯葉などが入らない構造となる。また、取付金具１２ｂは、側壁５ａ，５ａ屋内側端部の上下方向に間隔をあけて複数取り付けてあり、その取付金具１２ｂを左右の竪枠１，１間に挿入し、さらに、竪枠１，１の壁面の間にピース１４を配置して、ピース１４と竪枠１，１の壁面及びピース１４と取付金具１２ｂとを夫々リベット１３で固定することで、通気経路Ｓを閉塞することなくカバー材５を竪枠１，１間に着脱自在に取り付けるものである（図１、図２（ａ）（ｂ）参照）。また、上記実施形態では、内蓋材４が屋内側に移動して通気経路Ｓを閉塞するものについて説明したが、反対に屋外側に移動して通気経路Ｓを閉塞するものであってもよい。
【図面の簡単な説明】
【００１５】
【図１】本実施による壁面構成体の縦断面した斜視図である。
【図２（ａ）（ｂ）】（ａ）は、本実施による壁面構成体の通気経路が開放した状態を示す平面図であり、（ｂ）は、閉塞した状態を示す平面図である。
【図３（ａ）（ｂ）】（ａ）は、本実施による壁面構成体の通気経路が開放した状態を示す縦断面図であり、（ｂ）は、通気経路が開放した状態を示す縦断面図である。
【図４】本発明による壁面構成体のガイドブロックを示す横断面図である。
【符号の説明】
【００１６】
１  竪枠
２  仕切壁
３  外蓋材
４  内蓋材
５  カバー材
５ａ  側壁
６  ガイドブロック
７ａ，７ｂ，１２  通気口
８  操作部
１２ａ  網材
Ｓ  通気経路
【図１】
2010007389.tif 000003
【図２（ａ）（ｂ）】
2010007389.tif 000004
【図３（ａ）（ｂ）】
2010007389.tif 000005
【図４】
2010007389.tif 000006